(57)【特許請求の範囲】
【請求項１】
携帯電話機と、前記携帯電話機に設置されている自動ダイヤルユニットとを備えるモバイルセキュリティーシステムであって、
前記携帯電話機は、所定の電話番号をダイヤルする特別のキーボタンセットと、前記キーボタンセットに接続されているスイッチ回路とを有し、
前記自動ダイヤルユニットは、前記スイッチ回路を経由して前記キーボタンセットに接続されている出力回路を有する回路板と、前記キーボタンセットを作動させるための制御信号を出力するための前記回路板を作動させあらかじめ設定されている所定の電話番号をダイヤルする前記キーボタンセットを作動させるために外部の警告シグナル発信装置から無線警告シグナルを受信する前記回路板に設置されているシグナル受信機と、前記回路板および前記シグナル受信機に必要な電力を供給するバッテリー動力供給装置とを有することを特徴とするモバイルセキュリティーシステム。
【請求項２】
前記キーボタンセットは、１個または１個以上のキーボタンを有することを特徴とする請求項１記載のモバイルセキュリティー装置。
【請求項３】
モバイルセキュリティー装置の自動ダイヤルユニットであって、ラックと、調節可能な携帯電話機支持板と、作動棒と、コントロール装置と、前記作動棒を上下移動する移動可能な圧力装置と、作動装置と、動力供給装置とを有し、
前記ラックは水平に対抗し配置されている２個の垂直板と、２個の前記垂直板の間に接続されている水平板とを有し、前記水平板は縦方向に延伸するステップ構造と、中間部に直角に形成されている凹部と、前記凹部に設置されている緩衝装置とを有し、
前記携帯電話機支持板は前記携帯電話機を支持するため垂直位置調節装置により前記ラックの内部で前記水平板に支持され、縦方向のスライド溝に挿入されているスライド板を有し、前記携帯電話機を保持するように所定の位置で固定され、
前記作動棒は前記垂直板に対し回転可能なＵ型の棒であり、前記凹部の外部に配置される第１位置と、前記凹部に配置され、前記緩衝装置で支持される第２位置との間で回転可能であり、一端が前記垂直板に対し回転可能な２個の水平なサイドアームと、前記サイドアームの他端の間に接続されている横断アームと、前記横断アームに設置され、２個の前記サイドアームの間を移動されるスライドボタンとを有し、
前記コントロール装置は前記水平板の底部に設置されているコントロール回路板と、前記回路板に設置され、外部の警告シグナル発信装置からの無線警告シグナルを受信するシグナル受信機とを有し、
前記圧力装置は前記凹部の穴を貫通する２個の垂直可動ロッドと、前記作動棒が前記第２位置に配置されているとき、前記作動棒を係止するように前記垂直可動ロッドの頂部に固定されているフック板と、２個の前記垂直可動ロッドの間で前記水平板の下方に配置されている水平圧力板と、前記垂直可動ロッドに設置され、前記垂直板と前記フック板の間で係止されている圧縮スプリングとを有し、前記作動装置は前記ラックの内部の前記水平板の下方に固定されているモーターを有し、前記モーターは出力シャフトを有し、前記出力シャフトには周辺部が前記水平圧力板に接続されているカムが接続され、
前記動力供給装置はバッテリーボックスを有し、前記バッテリーボックスは前記ラックに設置され、必要な作動電圧を供給するため回路により前記コントロール装置および前記作動装置に接続され、
前記携帯電話機が前記携帯電話機支持板に支持され、前記スライド板により所定の位置に固定され、前記作動棒が前記第２位置に配置され、前記フック板により支持され、前記スライドボタンは前記携帯電話機を電話をダイヤルするようにキーボタンに対応する位置に配置され、前記シグナル受信機が前記警告シグナル発信装置からの前記無線警告シグナルを受信すると、前記コントロール装置は前記モーターを作動し、前記カムは２回転され、前記作動棒が引き下げられ、前記携帯電話機をダイヤルする前記キーボタンは前記スライドボタンにより２回押され、前記携帯電話機は所定の電話番号をダイヤルされることを特徴とする自動ダイヤルユニット。
【請求項４】
前記携帯電話機支持板は、一端にＵ棒が接続され、前記Ｕ棒は底部スクリューロッドを有し、前記底部スクリューロッドは前記水平板の穴に挿入され、第１調節ナットで前記携帯電話機支持板の前記水平板に対する昇降は調節され、前記携帯電話機支持板の他端にはリンクが接続され、前記リンクにはスクリューロッドが回転可能に接続され、第２調節ナットで前記携帯電話機支持板の前記水平板に対する昇降は調節されることを特徴とする請求項３記載の自動ダイヤルユニット。
【請求項５】
前記サイドアームは、一端が前記垂直板に回転可能に接続され、他端に縦方向に延伸するスライドスロットと、前記スライドスロットに連通され、外側面に配置されているサイド穴と、２個の連結ピンを有する前記横断アームとが設けられ、前記連結ピンは前記横断アームの末端に同方向に直立され、前記スライドスロットに挿入され、前記スライドスロットの内部のスプリング構造で支持され、一側面に垂直に配置されている止めピンを有し、前記止めピンは前記サイド穴の外部に延伸していることを特徴とする請求項３記載の自動ダイヤルユニット。
【請求項６】
前記ラックには、スプリング支持押さえつけ装置が設置され、前記スプリング支持押さえつけ装置により前記携帯電話機は前記携帯電話機支持板に押さえつけられ、前記スプリング支持抑制装置はレバーを有し、前記レバーは前記水平板に回転可能な内側端部と、前記ラックの外部に延伸し、手で回転される外側端部と、前記レバーにピボットで回転可能であり、前記レバーと前記水平板との間に配置されているＵ型板と、前記ピボットに接続され、前記レバーと前記水平板との間に対称的に接続されている２個の伸長スプリングとを有し、前記Ｕ型板は上方向に延伸し湾曲されている２個のクランプ端を有し、前記クランプ端は前記携帯電話機支持板の水平スライド開口部を貫通し、前記携帯電話機は前記携帯電話機支持板に係止されることを特徴とする請求項３記載の自動ダイヤルユニット。
【請求項７】
前記垂直板は、内側面に水平に配置されている垂直設置溝を有し、前記垂直設置溝には前記携帯電話機を保持する携帯電話機ホルダーが設置されていることを特徴とする請求項３記載の自動ダイヤルユニット。
【請求項８】
前記モーターは、前記シグナル受信機が前記警告シグナル発信装置からの前記無線警告シグナルを受信すると、前記カムを１回転し、前記作動棒は下方に引かれ、前記携帯電話機をダイヤルする前記キーボタンは前記スライドボタンにより１回押され、前記携帯電話機は所定の電話番号がダイヤルされることを特徴とする請求項３記載の自動ダイヤルユニット。
【発明の詳細な説明】
【０００１】
（発明の背景）
本発明は、セキュリティー装置およびその自動ダイヤルユニットに関する。
従来のセキュリティー装置は、周辺を監視するように保護されている場所に配置されている警告シグナル発信装置と、シグナル受信機を有する自動ダイヤルユニットと、自動ダイヤルユニットと連結され、シグナル受信機が無線警告シグナルを警告シグナル発信ユニットから受信すると、所定の電話番号をかけるように自動ダイヤルユニットにより作動される携帯電話機とを備える。
【０００２】
急速な経済の発展に従い、生活水準は大きく向上している。ほとんどの家庭が移動手段として車を有している。しかしながら、現代社会では努力なしでものを手に入れようとする人が多く存在し、窃盗が頻繁に発生している。周辺の生活水準を向上するため、窃盗の頻度を減少することが重要である。このため、様々なセキュリティ装置が開発されている。通常のセキュリティー装置は、一般に、周辺を監視するように保護されている場所または物品の所定の位置に配置されている複数のセンサーと、センサーに接続されているアラーム装置とを有する。センサーが異常を感知すると、アラーム装置によりアラームが作動される。センサーは固定位置に設置されているため、侵入者に容易に発見され、破壊される。異常が発生すると、警備員に状況を確認するよう通知し、確認後、保護されている場所または物品の家主に通知する。警備員が状況を確認する前に家主には通知されないため、家主は必要な手段を適切なときに行うことができない。さらに、アラーム装置のアラームシグナルは保護されている場所または物品から一定の距離の内部でのみ見聞きされる。したがって、家主がアラーム装置の効果範囲外にいるとき、セキュリティー装置は無効である。
【０００３】
本実施例のセキュリティー装置はＵ．Ｓ．特許Ｎｏ．０９／３７３，１３４、  １９９９年８月記録に基づいている。本発明人は、２００１年１月２２日に発行された認可の通知を受けている。
そこで、本発明の目的は、確実に場所または物品を保護できるセキュリティーおよびその自動ダイヤルユニットを提供することにある。
【０００４】
（発明の概要）
本発明請求項記載のセキュリティーおよびその自動ダイヤルユニットによると、携帯電話機と、自動ダイヤルユニットとを備える。携帯電話機はジャックおよび所定の電話番号をダイヤルするキーボタンセットを有する。スイッチ回路によりジャックとキーボタンセットとは接続されている。自動ダイヤルユニットは回路板およびシグナル受信機を有する。シグナル受信機は回路板に設置され、外部の警告シグナル発信装置からの無線警告シグナルを受信する。回路板は出力回路および電気プラグを有する。電気プラグはジャックに接続されるように出力回路に接続されている。回路板からのコントロールシグナルはスイッチ回路およびキーボタンセットのスイッチに発信され、キーボタンセットにより所定の電話番号がダイヤルされる。
緊急事態が発生すると、自動ダイヤルユニットにより短時間に自動で電話番号がダイヤルされ、警告シグナルは迅速に管理人に通知される。したがって、確実に場所または物品を保護できる。
【０００５】
（実施例の詳述）
以下、本発明の実施の形態を図面に基づいて説明する。
図１に示すように、本発明の一実施例によるセキュリティー装置およびその自動ダイヤルユニットによると、家屋の窓などに設置されている警告シグナル発信装置１０と、機械的自動ダイヤルユニット２０と、機械的自動ダイヤルユニット２０と接続されているマスター携帯電話機２とを備える。警告シグナル発信装置１０はセンサー１１とシグナル発信機１２とを有する。センサー１１は振動センサー、火災センサー、赤外線センサーおよび煙センサーなどである。センサー１１がシグナルを感知すると、シグナル発信機１２は直ちに作動され、無線警告信号が発信される。機械的自動ダイヤルユニット２０は、シグナル発信機１２から発信される警告シグナルを受信するシグナル受信機２１を有する。シグナル受信機２１がシグナル発信機１２からの警告シグナルを受信すると、直ちに所定の電話番号にダイヤルするように機械的自動ダイヤルユニット２１が作動される。マスター携帯電話機２が電話機３または副携帯電話機４に接続され、所定の人あるいはセキュリティーセンターに必要な手段を取るように通知される。マスター携帯電話機２には犬の声などの警告メッセージが記録されている。マスター携帯電話機２が電話機３または副携帯電話機４に接続されると、犬の声などの警告メッセージはマスター携帯電話機２から電話機３または副携帯電話機４に発信され、管理人に異常状態の発生が通知される。
【０００６】
図２から図８に示すように、機械的自動ダイヤルユニット２０はラック５０と、調節可能な携帯電話機支持板６０と、作動棒７０と、シグナル受信機２１を有するコントロール装置８０と、作動棒７０を作動する移動可能な圧力装置９０と、作動装置１００と、動力供給装置１１０とを有する。ラック５０は、平行に対抗し配置されている垂直板５１および垂直板５２と、垂直板５１および垂直板５２に接続されている水平板５３とを有する。垂直板５１および垂直板５２は縦方向に延伸するステップ構造５１１およびステップ構造５２１と、中間部に直角に凹んだ凹部５４および凹部５５とを有する。２個の緩衝装置５６および緩衝装置５７は、垂直板５１および垂直板５２の凹部５４および凹部５５に設置されている。緩衝装置５６および緩衝装置５７は、凹部５４および凹部５５を垂直に貫通しステップ構造５１１およびステップ構造５２１に延伸するスクリューボルト５６１およびスクリューボルト５７１と、凹部５４および凹部５５のスクリューボルト５６１およびスクリューボルト５７１の周縁部に設置されているスプリング５６２およびスプリング５７２とを有する。スクリューボルト５６１およびスクリューボルト５７１には上方向の圧力が加えられている。
【０００７】
図６に示すように、携帯電話機支持板６０はラック５０の内部で水平板５３に支持され、マスター携帯電話機２は保持される。図３に示すように、携帯電話機支持板６０は一端にＵ棒６１が回転可能に接続されている底端部を有する。図２および図６に示すように、Ｕ棒６１は水平板５３の穴５３１を貫通する底部スクリューロッド６２を有し、底部スクリューロッド６２には調節ナット６３が螺合されている。調節ナット６３は水平板５３の底面で係止されている。調節ナット６３の回転により底部スクリューロッド６２は上下移動され、携帯電話機支持板６０の底端部の昇降は調節される。携帯電話機支持板６０の他端は底部に回転可能に接続されているリンク６６を有する。スクリューロッド６５がリンク６６を介し携帯電話機支持板６０の底面に接続されている。調節ナット６４はスクリューロッド６５に設置されている。調節ナット６４の回転により携帯電話機支持板６０の前面の昇降が調節される。調節ナット６２および調節ナット６４の回転によりマスター携帯電話機２の大きさに応じ携帯電話機支持板６０の位置が調節される。さらに、携帯電話支持板６０は頂部に前端部まで延伸するスライド縦溝６８を有する。スライド板６７は、スライド縦溝６８に挿入され、マスター携帯電話２を保持するようにスクリュー６９により携帯電話支持板６０の所定の位置に固定されている。
【０００８】
作動棒７０は２個の水平なサイドアーム７１およびサイドアーム７２と、横断アーム７３と、スライドボタン７４と、スプリング構造７５と、止めピン７３３および止めピン７３４とを有する。サイドアーム７１およびサイドアーム７２はそれぞれの一端が凹部５４または凹部５５の一端に接続され、垂直板５１および垂直板５２に回転可能である。サイドアーム７１およびサイドアーム７２のそれぞれの他端には、縦方向に延伸するスライドスロット７１１およびスライドスロット７２１と、スライドスロット７１１およびスライドスロット７２１と接続されるように外面に配置され、延伸しているサイド穴７１１およびサイド穴７１２とを有する。横断アーム７３は両端に同方向に直立する連結ピン７３１および連結ピン７３２を有し、連結ピン７３１および連結ピン７３２はサイドアーム７１およびサイドアーム７２のスライドスロット７１１およびスライドスロット７２１に挿入されている。止めピン７３３および止めピン７３４はそれぞれ垂直に横断アーム７３の連結ピン７３１または連結ピン７３２に固定され、サイドアーム７１およびサイドアーム７２のサイド穴７１２およびサイド穴７２２の外部に延伸している。したがって、サイドアーム７１およびサイドアーム７２は連結ピン７３１および連結ピン７３２と接続され、横断アーム７３はスライドスロット７１１およびスライドスロット７２１の限定されている範囲内で前後に移動される。スプリング構造７５がサイドアーム７１およびサイドアーム７２のスライドスロット７１１またはスライドスロット７２１に設置され、連結ピン７３１および連結ピン７３２は係止され、連結ピン７３１および連結ピン７３２には外部方向の圧力が与えられる。スライドボタン７４は横断アーム７３に設置され、連結ピン７３１と連結ピン７３２との間で移動可能である。
【０００９】
コントロール装置８０は、ラック５０の水平板５３の底部に設置されているコントロール回路板８１と、ラック５０内部に設置され、電気ワイヤによりコントロール回路板８１に接続されている接触スイッチ８２とを有する。シグナル受信機２１はコントロール回路板８１に設置されている。
【００１０】
圧力装置９０は、ラック５０の垂直板５１および垂直板５２の凹部５４および凹部５５の穴を貫通する２個の垂直可動ロッド９１および垂直可動ロッド９２と、作動棒７０を係止するように垂直可動ロッド９１および垂直可動ロッド９２の頂部に設置されている２個のフック板９６およびフック板９７と、ラック５０の水平板５３の下方の垂直可動ロッド９１と垂直可動ロッド９２との間に設置されている水平圧力板９３と、垂直可動ロッド９１および垂直可動ロッド９２に設置され、ラック５０の垂直板５１または垂直板５２とフック板９６またはフック板９７との間で係止されている２個の圧縮スプリング９４および圧縮スプリング９５とを有する。
【００１１】
作動装置１００は確固にラック５０の内部の水平板５３の下方に設置されている。作動装置１００は、出力シャフト１０１と、確固に出力シャフト１０１に設置され、末端部が水平圧力装置９３の頂面と接続されているカム１０２とを有する。
【００１２】
動力供給装置１１０はラック５０に設置されているバッテリーボックスであり、必要な作動電圧を提供するように回路によりコントロール装置８０および作動装置１００に接続されている。
使用されるとき、マスター携帯電話機２は携帯電話機支持板６０に設置され、スライド板６７により固定されている。作動棒７０は図２に示すような非作動位置から図５および図６に示すような作動位置にラック５０に対し回転される。作動棒７０は緩衝装置５６および緩衝装置５７で支持され、フック板９６およびフック板９７により作動位置が維持される。スライドボタン７４は作動棒７３のマスター携帯電話機２のＯＫボタンの垂直直線上方に配置される。シグナル受信機２１が警告シグナル発信装置１０からの警告シグナルを受信すると、コントロール回路板８１は直ちにモーター１００を作動するように接触スイッチ８２を調節する。モーター１ー１００は出力シャフト１０１およびカム１０２を２回転させる。図７および図８に示すように、カム１０２の２回転により水平圧力板９３は垂直に２回往復移動され、マスター携帯電話機２はＯＫボタン５が所定の時間間隔で２回クリックされ、所定の電話番号がダイヤルされる。
【００１３】
携帯電話機支持板６０は垂直方向に調節可能であるため、機械的自動ダイヤルユニット２０は様々な厚さの携帯電話機に適用できる。一般に利用されている携帯電話機は大きさが異なるため、機械的自動ダイヤルユニット２０が様々な携帯電話機に適用できることが重要である。
【００１４】
図２、図７および図８に示すように、垂直設置溝５８はラック５０の垂直板５１および垂直板５２の内面に形成されている。垂直設置溝５８には、垂直板５１と垂直板５２との間でマスター携帯電話機２を支持する携帯電話機ホルダー１４０が設置されている。
【００１５】
図９から図１１に示すように、本考案の他の実施例によるセキュリティー装置およびその自動ダイヤルユニットによると、機械的自動ダイヤルユニット２０は、ラックに設置され、マスター携帯電話機を押さえつけるスプリング支持押さえつけ装置１２０を有する。スプリング支持押さえつけ装置１２０は、水平板５３に回転可能な内側端部１２１１および水平板５３の外部に延伸する外側端部１２１２を有するレバー１２１と、レバー１２１と水平板５３との間に配置され、ピボット１２３によりレバー１２１に対し回転されるＵ型板１２２と、レバー１２１と垂直板５３との間に対称的に接続され、ピボット１２３に隣接している２個の伸長スプリング１２４および伸長スプリング１２５とを備える。Ｕ型板１２２はピボット１２３に回転可能であり、上方向に折り曲げられているクランプ端１２２１およびクランプ端１２２２を有する。携帯電話機支持板６０’は、Ｕ型板１２２のクランプ端１２２１およびクランプ端１２２２が貫通する水平スライド開口部１２７および水平スライド開口部１２８を有する。伸長スプリング１２４および伸長スプリング１２５によりレバー１２１は一方向に引かれ、クランプ端１２２１およびクランプ端１２２２はＵ型板１２２とともに水平スライド開口部１２７および水平スライド開口部１２８の一端に移動される。マスター携帯電話機２が携帯電話支持板６０’に配置されるとき、レバー１２１の外端部１２１２は手で一方向に引かれ、Ｕ型板１２２は水平スライド開口部１２７および水平スライド開口部１２８に沿って移動される。マスター携帯電話機２が設置されると、レバー１２１は手から開放され、伸長スプリング１２４および伸長スプリング１２５により元の位置に戻され、Ｕ型板１２２のクランプ端１２２１およびクランプ端１２２２はマスター携帯電話機２に固定される。したがって、マスター携帯電話機２は確固に携帯電話支持板６０’に固定される。
【００１６】
マスター携帯電話機２は機械的自動ダイヤルユニット２０または機械的自動ダイヤルユニット２０’の携帯電話支持板６０または携帯電話支持板６０’に支持されている。スライドボタン７４がマスター携帯電話機２のＯＫボタン５を押すように作動棒７０はマスター携帯電話機２と水平に配置され、圧力装置９０は作動棒７０に垂直に配置されている。
【００１７】
図１２に示すように、本発明の他の実施例によるセキュリティー装置およびその自動ダイヤルユニットによると、マスター携帯電話機２’は電気的自動ダイヤルユニット１３０に接続されている。電気的自動ダイヤルユニット１３０は回路板１３１と、回路板１３１に設置されているシグナル受信機２１とを有する。回路板１３１は電気プラグ１３３と、電気プラグ１３３に接続されている出力回路１３２とを有する。マスター携帯電話機２’は、側面に設けられているジャック７と、ＯＫボタン５に接続されているスイッチ回路６とを有する。使用されるとき、電気プラグ１３３がマスター携帯電話機２’のジャック７に挿入される。図１に示すように、シグナル受信機２１が警告シグナル発信装置１０からの警告シグナルを受信すると、直ちに電気的自動ダイヤルユニット１３０がマスター携帯電話機２’をダイヤルするように作動され、マスター携帯電話機２’は電話機３または副携帯電話機４に接続される。電気的自動ダイヤルユニット１３０は電力がマスター携帯電話機２’から供給されている。または、電気的自動ダイヤルユニット１３０は、バッテリーボックスが直接回路板１３１に設置され、必要な作動電圧が供給されている。
【００１８】
図１３および図１４に示すように、本発明の他の実施例によるセキュリティー装置およびその自動ダイヤルユニットによると、電気的自動ダイヤルユニット１３０’は、マスター携帯電話機２’’に設置されている。電気的自動ダイヤルユニット１３０’は回路板１３１’と、回路板１３１’に設置されているシグナル受信機２１とを有する。回路板１３１’は、マスター携帯電話機２’’のＯＫボタン５のスイッチ回路６と接続されている。シグナル受信機２１が警報シグナル発信装置１０からの警告シグナルを受信すると、直ちに回路板１３１’はＯＫボタン５を２回押すように作動され、マスター携帯電話機２’’は電話機３または副携帯電話機４に接続される。
【００１９】
機械的自動ダイヤルユニットまたは電気的自動ダイヤルユニットは短時間に自動で電話番号をダイヤルするため、緊急事態が発生するとき、警告シグナルは迅速に管理人に通知される。したがって、侵入者がセキュリティーシステムを破壊する前に管理人はシグナルを受信できる。
【００２０】
本実施例のセキュリティー装置は、市販されている携帯電話機とともに使用されるため、市販されている携帯電話機の特徴を考慮しなくてはならない。携帯電話機２、携帯電話機２’または携帯電話機２’’は、自動ダイヤル機能の妨害を防止するため、受信する電話を他の電話機に転送するように設定されなければならない。このため、マスター携帯電話機２は機械的自動ダイヤルユニット２０または機械的自動ダイヤルユニット２０’に設置されている。使用されるとき、マスター携帯電話機２’は電気的自動ダイヤルユニット１３０に接続される。または、マスター携帯電話機２’’が使用される。機械的自動ダイヤルユニット２０、機械的自動ダイヤルユニット２０’、電気的自動ダイヤルユニット１３０または電気的自動ダイヤルユニット１３０’が警告シグナル発信装置１０からの警告シグナルを受信すると、マスター携帯電話機２，マスター携帯電話機２’またはマスター携帯電話携帯電話機２’’は直ちに自動ダイヤル作業を行うように作動される。
【００２１】
さらに、機械的自動ダイヤルユニット２０、機械的自動ダイヤルユニット２０’、電気的自動ダイヤルユニット１３０および電気的自動ダイヤルユニット１３０’は、使用されるとき、始動が約５分間遅延される。このため、使用者は保護されている場所または物品から去る十分な時間を有する。機械的自動ダイヤルユニット２０、機械的自動ダイヤルユニット２０’、電気的自動ダイヤルユニット１３０および電気的自動ダイヤルユニット１３０’は、作動後、再び５分後に始動される。したがって、マスター携帯電話機２、マスター携帯電話機２’またはマスター携帯電話携帯電話機２’’は、マスター携帯電話機２、マスター携帯電話機２’またはマスター携帯電話携帯電話機２’’がダイヤルする電話が受信されないとき、切断回路が完了するまたは待機状態になる十分な時間を有する。
【００２２】
さらに、マスター携帯電話機２、マスター携帯電話機２’またはマスター携帯電話携帯電話機２’’が副携帯電話機４にダイヤルするとき、副携帯電話機４のボイスボックス機能は消去されているため、電話料金が節約される。副携帯電話機４がボイスコントロール携帯電話機であるとき、副携帯電話機４に入力するため、犬の鳴き声などの警告メッセージである所定の音声がマスター携帯電話機２、マスター携帯電話機２’またはマスター携帯電話携帯電話２’’に録音されている。
【００２３】
本実施例の機械的自動ダイヤルユニットまたは電気的自動ダイヤルユニットは、異常事態が発生すると、自動的に携帯電話機をダイヤルし、携帯電話機を所定の番号に接続するため、財産の家主は適する時に必要な手段を行うことができる。自動ダイヤル機能は無線警告シグナルにより始動され、機械的自動ダイヤルユニットまたは電気的自動ダイヤルユニットは自己供給バッテリーを有しているため、マスター携帯電話機および機械的自動ダイヤルユニットまたは電気的自動ダイヤルユニットは隠れた位置で受信可能である。異常事態が発生すると、マスター携帯電話機は短時間で所定の電話番号をダイヤルするように作動されるため、セキュリティー装置は実際に使用でき、使用者に状況を通知できる。さらに、本実施例のセキュリティー装置およびその自動ダイヤルユニットの構造は簡単であるため、設置コストは低い。
【００２４】
マスター携帯電話機２、マスター携帯電話機２’またはマスター携帯電話携帯電話機２’’のＯＫボタンが２回押されなければならない理由を下記に示す。セキュリティー装置を使用する前、マスター携帯電話機２、マスター携帯電話機２’またはマスター携帯電話携帯電話機２’’にはあらかじめ所定の電話番号が登録されている。マスター携帯電話機２、マスター携帯電話機２’またはマスター携帯電話携帯電話機２’’が所定の電話番号をダイヤルするとき、所定の電話番号が再生され、所定のキーボタンが押される。ある種の携帯電話機は、前述の２行程を完了するため、ＯＫボタンが押されるように同じキーボタンが使用される。したがって、マスター携帯電話機２、マスター携帯電話機２’またはマスター携帯電話携帯電話機２’’が所定の電話番号をダイヤルするとき、ＯＫボタンが２回押され、入力される。
【００２５】
しかし、他の種類の携帯電話機は、前述の２行程を完了するため、２個の異なるボタンが使用される。所定の電話番号を再生するため第１キーボタンが使用され、所定の電話番号をダイヤルするため第２キーボタンが使用される。この種の携帯電話機は、本実施例の機械的自動ダイヤルユニットに使用されることは困難であるが、本実施例の電気的自動ダイヤルユニットには容易に使用される。
また、前述の２行程を所定のボタンを１回押すことにより完了する携帯電話機が存在する。この種の携帯電話機は、機械的自動ダイヤルユニットのモーターによりカムが１回転され、機械的自動ダイヤルユニットの使用に適しており、電気的自動ダイヤルユニットにも使用される。
【００２６】
マスター携帯電話機２、マスター携帯電話機２’またはマスター携帯電話携帯電話機２’’がボイスコントロール携帯電話機であるとき、マスター携帯電話機の周辺部には音声プレーヤーユニットが設置される。音声プレーヤーユニットはシグナル受信機により作動される。したがって、音声プレーヤーユニットは、シグナル受信機が警告シグナル発信装置からの警告シグナルを受信すると、マスター携帯電話が所定の電話番号をダイヤルするように特別な音声を発信する。
【図面の簡単な説明】
【図１】本発明の一実施例によるセキュリティー装置およびその自動ダイヤルユニットを示す模式図である。
【図２】本発明の一実施例によるセキュリティー装置およびその自動ダイヤルユニットの機械的自動ダイヤルユニットを示す斜視図である。
【図３】本発明の一実施例によるセキュリティー装置およびその自動ダイヤルユニットの携帯電話支持板を示す分解斜視図である。
【図４】本発明の一実施例によるセキュリティー装置およびその自動ダイヤルユニットの作動棒を示す分解斜視図である。
【図５】本発明の一実施例によるセキュリティー装置およびその自動ダイヤルユニットの機械的自動ダイヤルユニットを示す斜視図である。
【図６】本発明の一実施例によるセキュリティー装置およびその自動ダイヤルユニットの機械的自動ダイヤルユニットを示す模式図である。
【図７】本発明の一実施例によるセキュリティー装置およびその自動ダイヤルユニットの機械的自動ダイヤルユニットを示す模式図である。
【図８】本発明の一実施例によるセキュリティー装置およびその自動ダイヤルユニットの機械的自動ダイヤルユニットを示す模式図である。
【図９】本発明の他の実施例によるセキュリティー装置およびその自動ダイヤルユニットの機械的自動ダイヤルユニットを示す斜視図である。
【図１０】本発明の他の実施例によるセキュリティー装置およびその自動ダイヤルユニットのスプリング支持押さえつけ装置を示す斜視図である。
【図１１】本発明の他の実施例によるセキュリティー装置およびその自動ダイヤルユニットの携帯電話機支持板を示す分解斜視図である。
【図１２】本発明の他の実施例によるセキュリティー装置およびその自動ダイヤルユニットを示す斜視図である。
【図１３】本発明の他の実施例によるセキュリティー装置およびその自動ダイヤルユニットを示す斜視図である。
【図１４】本発明の他の実施例によるセキュリティー装置およびその自動ダイヤルユニットを示す模式図である。
【符号の説明】
２    マスター携帯電話機
２’  マスター携帯電話機
２’’マスター携帯電話機
５    ＯＫボタン
６    スイッチ回路
７    ジャック
１０    警告シグナル発信装置
１１    センサー
１２    シグナル発信機
２０    機械的自動ダイヤルユニット
２０’  機械的自動ダイヤルユニット
２１    シグナル受信機
５１    垂直板
５２    垂直板
５３    水平板
５４    凹部
５５    凹部
５６    緩衝装置
５７    緩衝装置
５８    垂直設置溝
６０    携帯電話機支持板
６０’  携帯電話機支持板
６１    Ｕ棒
６２    底部スクリューロッド
６３    調節ナット
６４    調節ナット
６５    スクリューロッド
６６    リンク
６７    スライド板
６８    スライド縦溝
６９    スクリュー
７０    作動棒
７１    サイドアーム
７２    サイドアーム
７３    横断アーム
７４    スライドボタン
７５    スプリング構造
８１    コントロール回路板
８２    接触スイッチ
９１    垂直可動ロッド
９２    垂直可動ロッド
９３    水平圧力板
９４    圧縮スプリング
９５    圧縮スプリング
９６    フック板
９７    フック板
１００    作動装置
１０１    出力シャフト
１０２    カム
１１０    動力供給装置
１２０    スプリング支持押さえつけ装置
１２１    レバー
１２２    Ｕ型板
１２３    ピボット
１２４    伸長スプリング
１２５    伸長スプリング
１２７    水平スライド開口部
１２８    水平スライド開口部
１３０    電気的自動ダイヤルユニット
１３０’  電気的自動ダイヤルユニット
１３１    回路板
１３１’  回路板
１３２    出力回路
１３２’  出力回路
１３３    電気プラグ
１４０    携帯電話機ホルダー
５１１    ステップ構造
５２１    ステップ構造
５６１    スクリューボルト
５６２    スプリング
５７２    スプリング
５３１    穴
７１１    スライドスロット
７１２    サイド穴
７２１    スライドスロット
７２２    サイド穴
７３１    連結ピン
７３２    連結ピン
７３３    止めピン
７３４    止めピン
１２１１    内側端部
１２１２    外側端部
１２２１    クランプ端
１２２２    クランプ端
【図１】
0003614375.tif 000002
【図２】
0003614375.tif 000003
【図３】
0003614375.tif 000004
【図４】
0003614375.tif 000005
【図５】
0003614375.tif 000006
【図６】
0003614375.tif 000007
【図７】
0003614375.tif 000008
【図８】
0003614375.tif 000009
【図９】
0003614375.tif 000010
【図１０】
0003614375.tif 000011
【図１１】
0003614375.tif 000012
【図１２】
0003614375.tif 000013
【図１３】
0003614375.tif 000014
【図１４】
0003614375.tif 000015